(57)【要約】      （修正有）【課題】火災などの異常を検出して連動元と連動先で行った警報の停止操作を容易にすると共に警報停止を行っても連動元が容易に分かるようにする。【解決手段】警報処理部６６は、センサ部３４からの検出信号から異常を判定した時に、報知部３６から連動元を示す異常警報を出力させると共に、異常を示すイベント信号を他の住警器に送信し、他の住警器で連動先を示す異常警報を出力させる。警報停止は、モード選択により、連動元の警報停止操作で連動元を示す警報音を停止し警報表示は継続し、連動先を示す警報音と警報表示は停止する第１モード、任意の住警器の警報停止操作により連動元の警報音と警報表示は継続し、連動先の警報音と警報表示を停止する第２モード、又は任意の住警器の警報停止操作で連動元を示す警報音を停止し警報表示は継続し、連動先を示す警報音と警報表示は停止する第３モードのいずれかを選択して動作させる。【選択図】図９
2011028707.tif 000002
【特許請求の範囲】
【請求項１】
監視エリアの物理的現象を検出して出力するセンサ部と、
警報音と警報表示により異常警報を出力する報知部と、
警報停止操作手段を備えた操作部と、
前記センサ部の検出出力による異常の有無及び前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出した時に、前記報知部からの警報音と警報表示により連動元を示す異常警報を出力させると共に、異常を示すイベント信号を他の警報器に送信させ、一方、他の警報器から異常を示すイベント信号を受信した時に、前記報知部からの警報音と警報表示により連動先を示す異常警報を出力させる警報処理部と、
を設けた警報器に於いて、
前記連動元を示す異常警報の出力中に前記操作部の警報停止操作を検出した場合、前記連動元を示す警報音を停止すると共に警報表示を継続させ、更に、他の住警器に警報停止を示すイベント信号を送信し、一方、前記連動先を示す異常警報の出力中に他の住警器からの警報停止を示すイベント信号の受信を検出した場合、前記連動先を示す警報音と警報表示を継続する第１モード警報停止部と、
前記連動先を示す異常警報の出力中に自己の警報停止操作があった場合に、前記連動先を示す警報音を停止すると共に警報表示を継続し、更に他の警報器へ警報停止を示すイベント信号を送信し、他の住警器から警報停止を示すイベント信号の受信を検出した場合に、前記連動先を示す警報音を停止すると共に警報表示を継続する第２モード警報停止部と、
前記連動先を示す異常警報の出力中に自己の警報停止操作又は他の警報器から警報停止を示すイベント信号の受信を検出した場合、前記連動先を示す警報音と警報表示を停止して、他の警報器へ警報停止を示すイベント信号を送信する第３モード警報停止部と、
前記第１モード警報停止部、第２モード警報停止部または第３モード警報停止部のうち少なくとも２つから何れか１つを選択して動作させるモード選択部と、
を備えたことを特徴とする警報器。
【請求項２】
請求項１記載の警報器に於いて、前記第１乃至第３モード警報停止部は、前記操作部の警報停止操作を検出した時に継続した連動元を示す警報表示を、異常復旧又は所定時間経過又は前記操作部の警報停止操作を検出した時に停止することを特徴とする警報器。
【請求項３】
請求項１記載の警報器に於いて、前記警報停止部は、前記自己の警報停止操作又は他の警報器からの警報停止を示すイベント信号受信を検出した時に継続した、連動元を示す警報音及び警報表示を、異常復旧、所定時間経過又は自己の警報停止操作を検出した時に停止することを特徴とする警報器。
【請求項４】
請求項１記載の警報器に於いて、前記警報処理部は、連動元を示す警報表示の表示色と連動先を示す警報表示の表示色を異ならせたことを特徴とする警報器。
【請求項５】
警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
前記警報器は、警報を出力している立場が連動元であるか連動先であるかに応じて、警報停止処理時の警報音出力制御と警報表示出力制御の停止時期を異ならせること、を特徴とする警報システム。
【請求項６】
警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
前記警報器は、警報停止操作が連動元で行われたか連動先で行われたかに応じて、連動元と連動先の警報停止処理時を異ならせること、を特徴とする警報システム。
【請求項７】
警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
前記警報器は、異なる２つ以上の警報停止処理モードから、１つのモードを選択することを特徴とする警報システム。
【発明の詳細な説明】
【技術分野】
【０００１】
本発明は、火災やガス漏れなどの異常を検出して警報すると共に他の警報器に信号を送信して警報を連動出力させる警報器及び警報システムに関する。
【背景技術】
【０００２】
従来、住宅における火災を検出して警報する住宅用警報器（以下「住警器」という）が普及しており、近年にあっては、複数の住警器を相互に通信させ、１つの住警器の異常情報を他の警報器でも警報できる連動型警報システム向けの無線式住警器が実用化されており、これらの中には電池電源によって動作するものがある。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の表示灯は点灯とし、連動先の住警器の表示灯は点滅とし、表示灯の表示からも連動元か連動先かが区別できるようにしている。
【０００４】
また、連動元と連動先の住警器で警報が行われた場合、住警器に設けている警報停止スイッチを操作すると、操作した住警器の警報を停止することができるようにしている。
【先行技術文献】
【特許文献】
【０００５】
【特許文献１】特開２００７−０９４７１９号公報
【発明の概要】
【発明が解決しようとする課題】
【０００６】
しかしながら、このような従来の連動警報を行う無線式の住警器にあっては、連動元と連動先の住警器で警報が行われた場合に、警報を停止したい場合には、住警器毎に警報停止操作を必要とし、警報停止操作が煩雑になるという問題がある。
【０００７】
この問題を解決するためには、任意の住警器で警報停止操作を行った場合、連動関係にある全ての住警器の警報を一斉に停止することも考えられるが、全ての警報を停止してしまうと、火災を検出した連動元の警報器がどれか分からず、消火後の火元の特定や、誤報又は非火災報を発した住警器の特定が困難になるという問題がある。
【０００８】
本発明は、火災などの異常を検出して連動元と連動先で行った警報の停止操作を容易にすると共に警報停止を行っても連動元が容易に分かるようにした警報器及び警報システムを提供することを目的とする。
【課題を解決するための手段】
【０００９】
（警報器）
監視エリアの物理的現象を検出して出力するセンサ部と、
警報音と警報表示により異常警報を出力する報知部と、
警報停止操作手段を備えた操作部と、
センサ部の検出出力による異常の有無及び前記操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出した時に、報知部からの警報音と警報表示により連動元を示す異常警報を出力させると共に、異常を示すイベント信号を他の警報器に送信させ、一方、他の警報器から異常を示すイベント信号を受信した時に、報知部からの警報音と警報表示により連動先を示す異常警報を出力させる警報処理部と、
を設けた警報器に於いて、
連動元を示す異常警報の出力中に操作部の警報停止操作を検出した場合、連動元を示す警報音を停止すると共に警報表示を継続させ、更に、他の住警器に警報停止を示すイベント信号を送信し、一方、連動先を示す異常警報の出力中に他の住警器からの警報停止を示すイベント信号の受信を検出した場合、連動先を示す警報音と警報表示を継続する第１モード警報停止部と、
連動先を示す異常警報の出力中に自己の警報停止操作があった場合に、連動先を示す警報音を停止すると共に警報表示を継続し、更に他の警報器へ警報停止を示すイベント信号を送信し、他の住警器から警報停止を示すイベント信号の受信を検出した場合に、連動先を示す警報音を停止すると共に警報表示を継続する第２モード警報停止部と、
連動先を示す異常警報の出力中に自己の警報停止操作又は他の警報器から警報停止を示すイベント信号の受信を検出した場合、連動先を示す警報音と警報表示を停止して、他の警報器へ警報停止を示すイベント信号を送信する第３モード警報停止部と、
第１モード警報停止部、第２モード警報停止部または第３モード警報停止部のうち少なくとも２つから何れか１つを選択して動作させるモード選択部と、
を備えたことを特徴とする。
【００１０】
ここで、第１乃至第３モード警報停止部は、操作部の警報停止操作を検出した時に継続した連動元を示す警報表示を、異常復旧又は所定時間経過又は前記操作部の警報停止操作を検出した時に停止する。
【００１１】
警報停止部は、自己の警報停止操作又は他の警報器からの警報停止を示すイベント信号受信を検出した時に継続した、連動元を示す警報音及び警報表示を、異常復旧、所定時間経過又は自己の警報停止操作を検出した時に停止する。
【００１２】
また、警報処理部は、連動元を示す警報表示の表示色と連動先を示す警報表示の表示色を異ならせる。
【００１３】
（システム）
本発明は、警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
警報器は、警報を出力している立場が連動元であるか連動先であるかに応じて、警報停止処理時の警報音出力制御と警報表示出力制御の停止時期を異ならせること、を特徴とする。
【００１４】
本発明は、警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、
警報器は、警報停止操作が連動元で行われたか連動先で行われたかに応じて、連動元と連動先の警報停止処理時を異ならせること、を特徴とする。
【００１５】
本発明は、警戒エリアに、異常を検出して警報音と表示により異常警報を出力する警報器を複数配置し、異常を検出した警報器は警報音と表示により連動元を示す異常警報を出力すると共に、他の警報器に異常信号を送信して警報音と表示により連動先を示す異常警報を出力させる警報システムに於いて、警報器は、異なる２つ以上の警報停止処理モードから、１つのモードを選択することを特徴とする。
【発明の効果】
【００１６】
本発明によれば、第１モード警報停止部を選択した場合、火災などの異常を検出して複数の警報器で連動警報が行われた場合、連動元の警報器で警報停止操作を行うと、他の警報器で行っている警報音と警報表示による連動先を示す警報が全て停止し、一方、連動元の警報器にあっては、警報音は停止するが警報表示は少なくとも所定期間継続され、これによって警報器毎での警報停止操作を不要とし、また警報停止操作とその連動で全て警報停止が行われたときに、連動元の警報器については、警報音は停止しても警報表示は少なくとも所定期間継続されているため、消火後の火元の特定や、誤報又は非火災報を発した住警器の特定を容易に行うことができる。
【００１７】
また本発明によれば、第２モード警報停止部を選択した場合、火災などの異常を検出して複数の警報器で連動警報が行われた場合、連動警報を出している任意の警報器で警報停止操作を行うと、連動元の警報音と警報表示は少なくとも所定期間継続し、連動先を示す警報音を全て停止し、これによって警報器毎での警報停止操作を不要とし、また警報停止操作で連動先の警報音が停止しても、連動元の警報器については、警報音及び警報表示は少なくとも所定期間継続されているため、消火後の火元の特定や、誤報又は非火災報を発した住警器の特定を容易に行うことができる。
【００１８】
また任意の警報器での警報停止操作によって連動先の警報音は全て停止するが、連動先の警報表示を少なくとも所定期間継続させておくことで、たとえば連動元の警報音が聞こえない場所に設置された連動先の警報器において、連動元の警報器が引き続き警報中であることを知ることができる。
【００１９】
本発明によれば、第３モード警報停止部を選択した場合、火災などの異常を検出して複数の警報器で連動警報が行われた場合、警報を行っている任意の警報器で警報停止操作を行うと、連動元及び連動先の警報器で行っている警報音が全て停止し、一方、連動元の警報器にあっては、警報音は停止するが警報表示は継続され、これによって警報器毎での警報停止操作を不要とし、また警報停止操作で一斉に警報停止が行われても、連動元の警報器については、警報音は停止しても警報表示は継続されているため、消火後の火元の特定や、誤報又は非火災報を発した警報器の特定を容易に行うことができる。
【００２０】
このように第１モード、第２モード、第３モード警報停止部は、連動元として警報中の警報停止処理は少なくとも表示を継続する点で基本的に同じであるが、連動先として警報中の警報停止処理が異なる。
【００２１】
即ち第１モードでは、連動先としての警報中に自己の警報停止操作があったら警報音を停止して表示は継続または所定期間継続または復旧を示すイベント信号を受信するまで継続する。そして、他の警報器に対して警報停止を示すイベント信号を送信しない。これによって連動先としての警報中の警報器については。その警報停止操作で警報音を停止することができ、それ以外の警報器の警報音と表示を継続できる。
【００２２】
これに対して第２モードでは、連動先としての警報中に自己の警報停止操作があったら警報音を停止して表示は継続または所定期間継続または復旧を示すイベント信号を受信するまで継続する。そして、他の警報器に対して警報停止を示すイベント信号を送信する。これによって連動先としての警報中の警報器については、その警報停止操作で警報音は停止するが表示を継続でき、警報停止操作を行った連動先の警報器を識別することができる。
【００２３】
そして第３モードでは、連動先としての警報中に自己の警報停止操作があったら警報音と警報表示を停止して、他の警報器に対して警報停止を示すイベント信号を送信する。これによって連動先としての警報中の警報器についても、連動元として警報中の警報器で警報停止操作を行ったと同じ警報停止制御ができる。
【図面の簡単な説明】
【００２４】
【図１】本発明による無線式の住警器の外観を示した説明図
【図２】住宅に対する本発明の警報システムの設置状態を示した説明図
【図３】第１モード警報停止処理を選択した場合の火災検出時の連動警報と警報停止操作後の連動警報を警示した説明図
【図４】第１モード警報停止処理を選択した場合の異常検出時と警報停止操作時の警報内容を連動元と連動先に分けてリスト形式で示した説明図
【図５】第２モード警報停止処理を選択した場合の火災検出時の連動警報と警報停止操作後の連動警報を警示した説明図
【図６】第２モード警報停止処理を選択した場合の警報停止操作後の連動警報の他の実施形態を示した説明図
【図７】第２モード警報停止処理を選択した場合の異常検出時と警報停止操作時の警報内容を連動元と連動先に分けてリスト形式で示した説明図
【図８】本実施形態における第３モード警報停止処理を選択した場合の火災検出時の連動警報と警報停止操作後の連動警報を警示した説明図
【図９】図２の警報システムに設けた火災を検出して警報する住警器の実施形態を示したブロック図
【図１０】本実施形態で使用するイベント信号のフォーマットを示した説明図
【図１１】図９の住警器で第１モード警報停止部６８−１を選択した場合の火災監視処理を示したフローチャート
【図１２】図９の住警器で第２モード警報停止部６８−２を選択した場合の火災監視処理を示したフローチャート
【図１３】図９の住警器で第３モード警報停止部６８−３を選択した場合の火災監視処理を示したフローチャート
【図１４】連動元と連動先の表示色を異ならせた無線式住警器の実施形態を示した説明図
【図１５】図１４の実施形態における第１モード警報停止処理を選択した場合の火災検出時の連動警報と警報停止操作後の連動警報を警示した説明図
【図１６】図１４の実施形態における第２モード警報停止処理を選択した場合の火災検出時の連動警報と警報停止操作後の連動警報を警示した説明図
【図１７】図１４の実施形態において第２モード警報停止処理を選択した場合の連動先で警報停止操作した後の連動警報を示した説明図
【図１８】図１４の実施形態における第３モード警報停止処理を選択した場合の火災検出時の連動警報と警報停止操作後の連動警報を警示した説明図
【発明を実施するための形態】
【００２５】
図１は本発明による無線式の住警器（住宅用火災警報器）の外観を示した説明図であり、図１（Ａ）に正面図を、図１（Ｂ）に側面図を示している。
【００２６】
図１において、本実施形態の住警器１０はカバー１２と本体１４で構成されている。カバー１２の中央には、周囲に煙流入口を開口し、その内部には検煙部１６が配置され、火災による煙が所定濃度に達したときに火災を検出するようにしている。
【００２７】
カバー１２に設けた検煙部１６の左下側には音響穴１８が設けられ、この背後にブザーやスピーカを内蔵し、警報音や音声メッセージを出力できるようにしている。検煙部１６の下側には警報停止スイッチ２０が設けられている。警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると機能点検を開始して結果を報知する。
【００２８】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００２９】
また本体１４の裏側上部には取付フック１５が設けられており、設置する部屋の壁にビスなどをねじ込み、この取付フック１５にビスを通すことで、壁面に住警器１０を設置することができる。
【００３０】
なお図１の住警器１０にあっては、検煙部１６を備えた火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００３１】
図２は住宅に対する本実施形態の警報システムの設置状態を示した説明図である。図２の例にあっては、住宅２４に設けられている台所、居間、主寝室、子供部屋のそれぞれに本実施形態の火災を検出して警報する住警器１０−１〜１０−４が設置され、更に屋外に建てられたガレージ２６にも住警器１０−５が設置されている。
【００３２】
住警器１０−１〜１０−５は、イベント信号を無線により相互に送受信する機能を備え、住宅全体の火災監視を行っている。
【００３３】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５、連動元の住警器１０−４からの火災発報を示すイベント信号を受信した場合に、警報音と警報表示により連動先としての警報動作を行う。
【００３４】
ここで連動元となった住警器１０−４の警報音としては、例えば音声メッセージにより「ウーウー  火災警報器が作動しました  確認してください」を出力する。一方、連動先の住警器１０−１〜１０−３，１０−５にあっては、「ウーウー  別の火災警報器が作動しました  確認してください」といった音声メッセージを出力する。
【００３５】
また連動元となった住警器１０−４の警報に伴う表示としては、例えばＬＥＤ２２を点灯させる。一方、連動先の住警器１０−１〜１０−３，１０−５にあっては、ＬＥＤ２２を点滅させる。これによって、連動元警報と連動先警報におけるＬＥＤ５０による警報表示を区別できるようにしている。
【００３６】
なお、連動元のＬＥＤ２２を点滅とし、連動先のＬＥＤ２２を明滅としても良いし、連動元警報と連動先警報のいずれについても、同じＬＥＤ２２の明滅または点滅、点灯表示であっても良い。
【００３７】
住警器１０−１〜１０−５が警報音を出している状態で、警報停止スイッチ２０を操作すると、警報音及び警報表示の停止処理が行われる。
【００３８】
本実施形態の警報停止処理には、第１モード停止処理、第２モード停止処理、及び第３モード停止処理があり、いずれかのモードが初期設定や運用中の設定などにより選択され、選択されたモードの警報停止処理を行う。設定は各警報器について一台ずつ行っても良いし、例えば通信機能を使用してグループ毎にまとめて行っても良い。
【００３９】
図３は本実施形態における第１モード警報停止処理を示している。図３（Ａ）は連動関係にある住警器１０−１〜１０−５の中の住警器１０−１が火災を検出し、住警器１０−１が警報音とＬＥＤ２２の点灯による警報表示により連動元を示す火災警報を行い、残りの住警器１０−２〜１０−５が警報音とＬＥＤ２２の点滅による警報表示により連動先を示す火災警報を行っている。
【００４０】
この連動警報の状態で、連動元の住警器１０−１に設けている警報停止スイッチ２０を操作すると、図３（Ｂ）に示すように、連動先の住警器１０−２〜１０−５で行っている連動先を示す警報音と警報表示は一斉に停止し、これに対し停止操作を行った連動元の住警器１０−１にあっては、連動元を示す警報音は停止するが、連動元を示すＬＥＤ２２の点灯よる警報表示は少なくとも所定期間継続するようにしている。
【００４１】
これによって連動警報が行われた場合、連動先の住警器１０−２〜１０−５の設置場所に出向いて警報停止操作を行わなくとも、連動元の住警器１０−１の警報停止操作で一斉に連動先の警報を停止することができ、停止操作が簡単且つ容易にできる。
【００４２】
また、連動元の住警器１０−１における警報停止操作で警報音が全て停止しても、連動元の警報器１０−１におけるＬＥＤ２２のたとえば点灯による警報表示は少なくとも所定期間継続され、消火後の火元の特定や、誤報または非火災報を発した住警器の特定が簡単且つ確実にできる。
【００４３】
警報停止後に継続している連動元の住警器１０−１のＬＥＤ２２による警報表示は、タイマ設定で決まる所定時間経過後に停止させるか、または、再度、連動元の住警器１０−１で警報停止操作を行った時に停止する。
【００４４】
更に、図３（Ａ）の連動警報の状態で、連動先を示す警報を行っている住警器１０−２〜１０−５のいずれかで警報停止操作を行った場合には、警報停止操作を行った連動先の住警器のみが少なくとも警報音を停止する。
【００４５】
図４は第１モード警報停止処理における異常検出時と警報停止操作時の警報内容を連動元と連動先に分けてリスト形式で示した説明図である。
【００４６】
図４において、連動元と連動先の警報種別は、警報音と警報表示であり、異常検出時、連動元は連動元警報音と点灯の警報表示を行う。また異常検出時、連動先は連動先警報音と点滅の警報表示を行う。
【００４７】
この異常検出に基づく連動元および連動先の警報状態で、連動元の住警器で警報停止スイッチによる警報停止操作が検出されると、第１モード警報停止処理では、連動元の警報音は停止し、警報表示はそのまま継続する。継続する警報表示は、点灯、点滅、明滅のいずれであっても良い。これに対し連動先は警報音と警報表示を停止する。
【００４８】
図５は本実施形態における第２モード警報停止処理を示している。図５（Ａ）は連動関係にある住警器１０−１〜１０−５の中の住警器１０−１が火災を検出し、住警器１０−１が警報音とＬＥＤ２２をたとえば点灯する警報表示により連動元を示す火災警報を行い、残りの住警器１０−２〜１０−５が警報音とＬＥＤ２２をたとえば点滅する警報表示により連動先を示す火災警報を行っている。
【００４９】
この連動警報の状態で、連動元の住警器１０−１及び連動先の警報器１０−２〜１０−５のいずれかの警報停止スイッチ２０を操作すると、図３（Ｂ）に示すように、連動元の住警器１０−１で行っている警報音とＬＥＤ２２の点灯による警報表示は少なくとも所定期間継続するが、連動先の住警器１０−２〜１０−５で行っている連動先を示す警報音とＬＥＤ２２の点滅による警報表示は全て停止するようにしている。
【００５０】
これによって連動警報が行われた場合、住警器１０−１〜１０−５の設置場所に出向いて警報停止操作を行わなくとも、住警器１０−１〜１０−５の内の任意の住警器の警報停止操作で連動元の警報音と警報表示は停止せず、連動先の警報音と警報表示を全て停止することができ、停止操作が簡単且つ容易にできる。
【００５１】
また、任意の住警器警報停止操作を行っても、連動元の警報器１０−１における警報音とＬＥＤ２２のたとえば点灯による警報表示は継続され、連動元から離れた場所に設置されている連動先警報器でも、依然として連動元が警報中である旨を知ることが出来、引き続き適切な対処が可能になると共に安全を確保することが出来る。そして、消火後の火元の特定や、誤報または非火災報を発した住警器の特定が簡単且つ確実にできる。
【００５２】
警報停止後に継続している連動元の住警器１０−１のＬＥＤ２２による警報表示は、火災復旧、タイマ設定で決まる所定時間経過、又は警報停止操作を行った時に停止する。
【００５３】
図６は第２モード警報停止処理における警報停止操作後の連動警報の他の実施形態を示した説明図であり、この実施形態は、図５（Ａ）のように、住警器１０−１で火災を検出して連動元を示す警報音と警報表示を行い、住警器１０−２〜１０−５で連動先を示す警報音と警報表示を行っている状態で、任意の住警器で警報停止操作を行った場合、連動元の住警器１０−１については警報音とＬＥＤ２２の点灯による警報表示をそのまま継続するが、連動先の住警器１０−２〜１０−５については、連動先を示す警報音は一斉に全て停止し、連動先を示すＬＥＤ２２による点滅による警報表示は、少なくとも所定期間継続させるようにしている。
【００５４】
このように警報停止操作を行っても、連動先の住警器１０−２〜１０−５につき警報音は停止するが、ＬＥＤ２２の点滅による連動先を示す警報表示を少なくとも所定期間継続されることで、たとえば図２のガレージ２６に設置した住警器１０−５のように、連動元の住警器１０−２の警報音を聞くことが出来ない場所に設置されている住警器において、連動先を示す警報音は停止しても、警報表示が継続されていることで、連動元の住警器１０−１の警報音は聞こえなくとも、警報中であることが確認できる。
【００５５】
この場合、連動元の警報音が継続している間は、連動先の表示は停止しないようにすることが出来る。
【００５６】
この警報停止操作時に残す連動先の警報表示としては、ＬＥＤ２２の点滅以外に、連動元と同様にＬＥＤ２２の点灯としても良いし、明滅としてもよい。
【００５７】
また、ＬＥＤ２２の点滅による警報表示は周期を異ならせることで各表示の意味を区別するようにしても良く、周期等の異なる点滅表示の組み合わせによっても、連動元や連動先の区別、また警報停止操作前後の区別が出来るようになる。明滅についても同様に適用出来る。
【００５８】
図７は本発明の第２モード停止処理における異常検出時と警報停止操作時の警報内容を連動元と連動先に分けてリスト形式で例示した説明図である。
【００５９】
図７において、連動元と連動先の警報種別は、警報音と警報表示であり、異常検出時、連動元は連動元警報音と第１周期明滅の警報表示を行う。また異常検出時、連動先は連動先警報音と第２周期点滅の警報表示を行う。
【００６０】
この異常検出に基づく連動元および連動先の警報状態で、任意の住警器で警報停止スイッチによる警報停止操作が検出されると、連動元の警報音と警報表示はそのまま継続する。これに対し連動先の警報音は停止するが、警報表示については、
・  停止
・  第１周期点滅
・  第２周期点滅
のいずれかの連動元を示す警報表示を行う。もちろん、図５の連動元を点滅とし、連動先を明滅としても良い。
【００６１】
その他、本発明の目的を達成出来、効果を大きく損なわない範囲に於いて、各種の表示の組み合わせを採用することが出来る。即ち、本発明に於いては、警報に伴う表示開始後の警報停止操作による表示「継続」と「停止」に主眼があり、表示開始、継続時に於けるＬＥＤ２２の駆動方法については限定を受けない。
【００６２】
また、警報音、警報表示共に「継続」は短い時間の停止期間を経て再駆動、再出力する場合を含み、再駆動、再出力の方法が再駆動、再出力前の方法と異なっていても良い。「停止」は、場合によって長い周期で短い駆動、出力期間を挿入する場合を含む。他の実施形態に於いても同様である。
【００６３】
図８は本実施形態における第３モード警報停止処理を示している。図８（Ａ）は連動関係にある住警器１０−１〜１０−５の中の住警器１０−１が火災を検出し、住警器１０−１が警報音とＬＥＤ２２をたとえば
点灯する警報表示により連動元を示す火災警報を行い、残りの住警器１０−２〜１０−５が警報音とＬＥＤ２２をたとえば点滅する警報表示により連動先を示す火災警報を行っている。
【００６４】
この連動警報の状態で、連動元の住警器１０−１及び連動先の警報器１０−２〜１０−５のいずれか
の警報停止スイッチ２０を操作すると、図８（Ｂ）に示すように、連動元の住警器１０−１で行っている警報音は停止するが、ＬＥＤ２２の点灯による警報表示は継続し、一方、連動先の住警器１０−２〜１０−５で行っている連動先を示す警報音とＬＥＤ２２の点滅による警報表示は全て停止するようにしている。
【００６５】
これによって連動警報が行われた場合、住警器１０−１〜１０−５それぞれの設置場所に出向いて警報停止操作を行わなくとも、住警器１０−１〜１０−５の内の任意の住警器の警報停止操作で連動元と連動先の警報音を一斉に停止し、連動元の警報表示はそのままで、連動先の警報表示を全て停止することができ、停止操作が簡単且つ容易にできる。
【００６６】
また、任意の住警器警報停止操作を行っても、連動元の警報器１０−１におけるＬＥＤ２２のたとえば点灯による警報表示は継続され、消火後の火元の特定や、誤報または非火災報を発した住警器の特定が簡単且つ確実にできる。
【００６７】
警報停止後に継続している連動元の住警器１０−１のＬＥＤ２２による警報表示は、タイマ設定で決まる所定時間経過、又は警報停止操作を検出した時に停止する。
【００６８】
第１モード、第２モード、第３モードは、連動元として警報中の警報停止処理は、少なくとも表示を継続させる点で基本的に同じであるが、連動先として警報中の警報停止処理が異なる。
【００６９】
即ち第１モードでは、連動先としての警報中に自己の警報停止操作があったら警報音を停止して表示は継続または所定期間継続または復旧を示すイベント信号を受信するまで継続する。そして、他の警報器に対して警報停止を示すイベント信号を送信しない。
【００７０】
これに対して第２モードでは、連動先としての警報中に自己の警報停止操作があったら警報音を停止して表示は継続または所定期間継続または復旧を示すイベント信号を受信するまで継続する。そして、他の警報器に対して警報停止を示すイベント信号を送信する。
【００７１】
そして第３モードでは、連動先としての警報中に自己の警報停止操作があったら警報音と警報表示を停止して、他の警報器に対して警報停止を示すイベント信号を送信する。
【００７２】
図９は図２の警報システムに設けた住警器の実施形態を示したブロック図であり、図２に示した５台の住警器１０−１〜１０−５につき、その内の住警器１０−１について回路構成を詳細に示している。他の住警器１０−２〜１０−５についても同様の構成となる。
【００７３】
住警器１０−１と他の住警器１０−２〜１０−５を結ぶ矢印はそれぞれが相互に通信することを示しているが、たとえば住警器１０−２と住警器１０−３なども相互に通信させるようにしている。もちろん、住警器１０−１をシステムの親機として、図６の矢印の経路でのみ通信するようにしたシステムでも、本発明を適用することが出来る。
【００７４】
住警器１０−１はワンチップＣＰＵとして知られたプロセッサ２８を備え、プロセッサ２８に対してはアンテナ３１を備えた無線通信部３０、記録回路部（メモリ）３２、センサ部３４、報知部３６、操作部３８及び電池電源４０を設けている。
【００７５】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００７６】
もちろん無線通信部３０としては、日本国内以外の場所については、その地域の割当無線局の標準規格に準拠した内容を持つことになる。
【００７７】
記憶部としてのメモリ３２には、イベント信号の順番を示す連続番号である連番４８、各住警器を特定するＩＤ（識別子）となる送信元符号５０及び図２のように住宅に設置した住警器１０−１〜１０−５で連動警報を行う連動グループを構成するためのグループ符号５２が格納されている。
【００７８】
連番５８は警報器間の通信に於いてイベント信号の中継処理等を管理するためのものであるが、本実施形態に直接関係しないので詳細な説明を省略する。
【００７９】
送信元符号５０としては、国内に提供される住警器の数を予測し、例えば同一符号として重複しないように２６ビットの符号コードが使用され、例えば、住警器のシリアル番号を利用する。
【００８０】
グループ符号５２は連動グループを構成する複数の住警器に共通に設定される符号であり、無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他グループの警報器との混信を回避出来る。
【００８１】
センサ部３４には、煙を検出して信号を出力する検煙部１６を設けている。
【００８２】
センサ部３４には検煙部１６以外に、火災による温度を検出するサーミスタ等の温度検出素子や、火災に伴うその他の物理現象変化を検出する各種素子を設けてもよい。
【００８３】
報知部３６には警報音を出力するスピーカ５８と警報表示を行うＬＥＤ２２が設けられている。スピーカ５８は、図示しない音声合成回路部からの音声メッセージや警報音を出力する。ＬＥＤ２２は点滅や明滅、点灯などにより、火災などの異常を表示する。スピーカ４８に代えて、ブザー等を用いても良い。
【００８４】
操作部３８には警報停止スイッチ２０が設けられている。警報停止スイッチ２０は、報知部３６からスピーカ４８により警報音を出力しているとき又はＬＥＤ２２により警報表示を行っているときにのみ警報停止スイッチとして機能する。例えば連動元を示す警報中に警報停止スイッチ２０を操作すると、警報音及び警報表示はそのまま継続され、一方、連動先を示す警報中に警報停止スイッチ２０を操作すると、警報音は停止し、警報表示は停止または継続するといった、後に説明するモード選択部の選択状態に応じた警報停止処理が行われる。
【００８５】
一方、連動元または連動先を示す警報を行っていない通常監視状態で警報停止スイッチ２０は点検スイッチとして機能し、この状態で警報停止スイッチ２０を操作すると、所定の点検動作が実行されて報知部３６から点検結果を示す音声メッセージなどが出力される。
【００８６】
また、操作部３８にはモード選択スイッチ２１が設けられている。モード選択スイッチ２１は例えばディップスイッチその他の切り替えスイッチであり、これによりプロセッサ２８のモード選択部７０にモード選択指示を与える。
【００８７】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００８８】
プロセッサ２８にはプログラムの実行により実現される機能として、イベント検出部６０、送信処理部６２、受信処理部６４、警報処理部６６、モード選択部７０が設けられ、モード選択部７０には第１モード警報停止部６８−１、第２モード警報停止部６８−２、及び第３モード警報停止部６８−３が設けられている。
【００８９】
イベント検出部６０は、センサ部３４による異常検出、操作部３８による警報停止、センサ部３４の異常検出がなくなる異常復旧を含むイベントを検出する。
【００９０】
送信処理部６２は、イベント検出部６０によりセンサ部３４による異常検出、操作部３８による警報停止およびモード切り替え、センサ部３４の異常検出がなくなる異常復旧を含む自己のイベントを検出した時に、検出イベントを示すイベント信号を連動先の住警器に送信させる。受信処理部６４は、住警器１０−２〜１０−５からのイベント信号を受信して解読する。
【００９１】
警報処理部６６は、イベント検出部６０で自己の異常として火災発報を検出した時にスピーカ５８から連動元を示す警報音を出力すると共に、ＬＥＤ２２を駆動して連動元を示す警報表示を行い、更に、火災発報を示すイベント信号を他の住警器に送信する。
【００９２】
具体的に説明すると、警報処理部６６は、センサ部３４に設けた検煙部１６から煙検出信号からイベント検出部６０で火災を検出したときに、報知部３６のスピーカ５８から連動元を示す警報音例えば「ウーウー  火災警報器が作動しました  確認してください」を繰り返し出力させると共に、ＬＥＤ２２を明滅して連動元を示す警報表示を行い、更に、火災発報を示すイベント信号を無線通信部３０の送信回路４２によりアンテナ１１から他の住警器１０−２〜１０−５に向けて送信させる。
【００９３】
また警報処理部６２は、他の住警器１０−２〜１０−５のいずれかから火災発報を示すイベント信号を無線通信部３０の受信回路４４により受信し、受信処理部６２で有効となったときに、報知部３６のスピーカ５８から連動先を示す警報音例えば「ウーウー  別の火災警報器が作動しました  確認してください」となる警報音を繰り返し出力させ、同時にＬＥＤ２２を点滅して連動先を示す警報表示を行う。
【００９４】
第１モード警報停止部６８−１は、連動元を示す異常警報の出力中に操作部３８に設けた警報停止スイッチ２０の警報停止操作を検出した場合、連動元を示すスピーカ５８からの警報音例えば「ウーウー  火災警報器が作動しました  確認してください」を停止すると共にＬＥＤ２２のたとえば明滅による警報表示を継続させ、更に、他の住警器１０−２〜１０−５に警報停止を示すイベント信号を送信する。
【００９５】
また第１モード警報停止部６８−１は、連動先を示す異常警報の出力中に他の住警器からの警報停止を示すイベント信号の受信を検出した場合、連動先を示すスピーカ５８からの警報音例えば「ウーウー  別の火災警報器が作動しました  確認してください」とＬＥＤ２２のたとえば点滅による警報表示を停止する。連動元からのイベント信号でない場合には、警報表示は少なくとも所定期間継続しても良い。
【００９６】
また、第１モード警報停止部６８−１は、操作部３８に設けた警報停止スイッチ２０の警報停止操作を検出した時に継続したＬＥＤ２２の点灯による連動元を示す警報表示を、所定時間経過後又は警報停止スイッチ２０の警報停止操作を検出した時に停止する。
【００９７】
第２モード警報停止部６８−２は、連動元を示す異常警報の出力中に操作部３８に設けた警報停止スイッチ２０の警報停止操作を検出した場合、連動元を示すスピーカ５８からの警報音例えば「ウーウー  火災警報器が作動しました  確認してください」を停止すると共にＬＥＤ２２の点灯による警報表示を継続させ、更に、他の住警器１０−２〜１０−５に警報停止を示すイベント信号を送信する。
【００９８】
また、第２モード警報停止部６８−２は、自己の警報停止操作又は他の警報器からの警報停止を示すイベント信号受信を検出した時に継続した連動元を示す警報音及び警報表示を、異常復旧、所定時間経過又は自己の警報停止操作を検出した時に停止する。
【００９９】
また第２モード警報停止部６８−２は、連動先を示す異常警報の出力中に他の住警器からの警報停止を示すイベント信号の受信を検出した場合、連動先を示すスピーカ５８からの警報音例えば「ウーウー  別の火災警報器が作動しました  確認してください」を停止し、ＬＥＤ２２の点滅による警報表示は停止又は継続とする。ＬＥＤ２２による連動先を示す警報表示を継続させる場合には、図５の連動元と同じ第１周期の点滅、或いは連動先固有の第２周期の点滅を行えるようにしても良い。
【０１００】
連動先を示す警報音の停止に対し継続したＬＥＤ２２による連動先を示す警報表示は、その後、連動元からの異常復旧または警報停止を示すイベント信号の受信、あるいは連動元の住警器での警報停止操作で停止させるようにすれば良い。
【０１０１】
第３モード警報停止部６８−３は、連動元を示す異常警報の出力中に操作部３８に設けた警報停止スイッチ２０の警報停止操作を検出した場合、連動元を示すスピーカ５８からの警報音例えば「ウーウー  火災警報器が作動しました  確認してください」を停止すると共にＬＥＤ２２の明滅による警報表示を継続させ、更に、他の住警器１０−２〜１０−５に警報停止を示すイベント信号を送信する。
【０１０２】
また、第３モード警報停止部６８−３は、連動元を示す異常警報の出力中に他の住警器からの警報停止を示すイベント信号受信を検出した場合、同様に、連動元を示すスピーカ５８からの警報音例えば「ウーウー  火災警報器が作動しました  確認してください」を停止すると共にＬＥＤ２２の点灯による警報表示を継続させる。
【０１０３】
また、第３モード警報停止部６８−３は、自己の警報停止操作又は他の住警器からの警報停止を示すイベント信号受信の検出で継続した連動元を示す警報表示を、所定時間経過又は自己の警報停止操作を検出した時に停止する。
【０１０４】
また第３モード警報停止部６８−３は、連動先を示す異常警報の出力中に他の住警器からの警報停止を示すイベント信号受信を検出した場合、連動先を示すスピーカ５８からの警報音例えば「ウーウー  別の火災警報器が作動しました  確認してください」と、ＬＥＤ２２の点滅による警報表示を停止する。
【０１０５】
なおモード選択切り替えは、モード選択スイッチ２１によらず、通信機能を使用して外部からモード設定し、メモリ２２に格納してプロセッサ２８で参照しモード選択部でモードを選択させ、またはメモリ２２を介さずに直接モード選択部で選択させるようにしても良い。この場合、次に説明するイベント信号に、選択するモードを指定するモード符号を付加する。そして、モード選択スイッチ２１は省略することが出来る。モードは予め初期選択されている（デフォルト設定）。そしてイベント検出部６０または受信処理部６４で切り替えを検知したときには自己のモードを切り替える。もちろん、他の住警器に送信するようにして一括で連動切り替えさせるようにすることも出来る。
【０１０６】
図１０は本実施形態で使用するイベント信号のフォーマットを示した説明図である。図１０において、イベント信号４６は連番４８、送信元符号５０、グループ符号５２及びイベント符号５４で構成されている。
【０１０７】
連番４８はイベント信号の順番を示す連続番号であり、イベント信号を送信する毎に１つずつ増加させる。また、連番４８は住警器１０−１〜１０−５の各々で非同期に生成している。連番４８は警報器間の通信に於いてイベント信号の中継処理等を管理するためのものであるが、本発明に直接関係しないので詳細な説明を省略する。
【０１０８】
送信元符号５０は例えば２６ビットの符号である。グループ符号５２は例えば８ビットの符号であり、同一グループを構成する例えば図１の住警器１０−１〜１０−５につき同じグループ符号が設定されている。
【０１０９】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【０１１０】
イベント符号５４は、火災、ガス漏れなどのイベント内容を表す符号であり、本実施形態にあっては３ビット符号を使用しており、例えば「００１」で火災、「０１０」でガス漏れ、「０１１」で盗難、「１００」で警報停止、「１０１」で復旧、残りをリザーブとしている。なおイベント符号４２のビット数は、更に４ビット、５ビットと増加させることで、更に多くのイベント内容を表すことができる。
【０１１１】
図１１は図９の住警器１０−１における第１モード警報停止部６８−１を選択した場合の火災監視処理の一例を示したフローチャートであり、プロセッサ２８のプログラムの実行による処理となる。
【０１１２】
図１１において、火災監視処理は、ステップＳ１で火災発生を監視しており、センサ部３４から出力された煙検出信号が所定の火災レベルを超えると火災発生を判別してステップＳ２に進み、連番、送信元符号、グループ符号、火災を示すイベント符号を含むイベント信号を他の住警器に無線送信した後、ステップＳ３でスピーカ５８からの警報音とＬＥＤ２２の点灯による警報表示とにより連動元を示す火災警報を出力する。
【０１１３】
続いて、ステップＳ４でセンサ部３４からの煙検出信号が低下して火災状態が解消する火災復旧の有無を判別しており、火災が継続している場合はステップＳ５で警報停止スイッチ２０による警報停止操作の有無を判別し、警報停止操作が無ければステップＳ６で他の住警器からの警報停止のイベント信号受信の有無を判別する処理を繰り返している。なお、火災の継続中にあっては、所定時間毎に火災を示すイベント信号の送信を繰り返している。
【０１１４】
ステップＳ４〜Ｓ６の処理サイクル中に、センサ部３４からの煙検出信号が低下し火災状態が解消するとステップＳ４で火災復旧が判別され、ステップＳ７で連番、送信元符号、グループ符号、火災復旧を示すイベント符号を含むイベント信号を他の住警器に送信し、ステップＳ９に進んで連動元警報音出力を停止し、表示は継続してステップＳ１０へ進む。ステップＳ１０で所定時間の経過が判別されたら、表示を停止して通常の監視状態に戻る。火災復旧の場合は、ステップＳ７の後、連動元警報音と警報表示を停止して通常の監視状態へ戻るようにしても良い。また、ステップＳ１０の所定時間経過の判別に代え、警報停止スイッチ２０による警報停止操作の有無を判別し、警報停止操作を検出した場合に、継続している警報表示を停止させても良い。
【０１１５】
またステップＳ６で他の住警器から警報停止イベント信号の受信を判別すると、ステップＳ９に進んで連動元を示すスピーカ５８からの警報音は停止するが、ＬＥＤ２２の点灯による警報表示は継続させる。続いてステップＳ１０で警報停止操作から所定時間経過したか否か判別しており、所定時間の経過を判別すると、ステップＳ１１に進んで連動元を示すＬＥＤ２２の点灯による警報表示を停止する。しかし、第１モード警報停止処理にあっては、連動先で警報停止操作を行っても、警報停止イベント信号は送信されず、このためステップＳ６からＳ９に進む処理は実行されない。
【０１１６】
一方、ステップＳ１で火災でなかった場合には、ステップＳ１２で他の住警器からのイベント信号受信の有無を判別している。他の住警器からの火災を示すイベント信号受信を判別すると、ステップＳ１３に進んで連動先を示す火災警報としてスピーカ５８からの警報音を出力し、ＬＥＤ２２の点滅による警報表示を行う。
【０１１７】
次にステップＳ１４で他の住警器からの異常復旧を示すイベント信号受信の有無を判別しており、異常（火災）復旧を示すイベント信号を受信すると、ステップＳ１５に進んで連動先を示すスピーカ５８からの警報音とＬＥＤ２２の点滅による警報表示を停止する。
【０１１８】
ステップＳ１４で異常（火災）復旧を示すイベント信号受信がない場合には、ステップＳ１６で連動元の住警器からの警報停止を示すイベント信号受信の有無をチェックしている。ここで、第１モード警報停止処理にあっては、連動先の停止操作では警報停止のイベント信号は送信されず、連動元の停止操作のみで警報停止りイベント信号が送信されることから、ステップＳ４６では送信元からの警報停止を示すイベント信号のみを判別している。なお、連動元からの信号か否かは、イベント信号に含まれる送信元符号から判別出来る。またイベント符号に連動元か否かを示す符号を別途付加するようにしても良い。
【０１１９】
ステップＳ１６で連動元からの警報停止を示すイベント信号の受信を判別すると、ステップＳ１８に進んで連動先を示すスピーカ５８からの警報音とＬＥＤ２２の点滅による警報表示を停止する。
【０１２０】
ステップＳ１６で警報停止を示すイベント信号受信がない場合には、ステップＳ１７で警報停止スイッチ２０による警報停止操作の有無を判別しており、警報停止操作を判別すると、ステップＳ１８に進んで連動先を示すスピーカ５８からの警報音とＬＥＤ２２の点滅による警報表示を停止する。
【０１２１】
ここではステップＳ１８で警報音と警報表示を共に停止する例を示したが、ステップＳ９からＳ１１同様に、表示は継続させて所定時間の経過後に警報表示を停止するようにしても良い。若しくは、警報表示は連動元からの警報停止または復旧のイベント信号を受信するまで停止しないようにしても良い。
【０１２２】
図１２は図９の住警器１０−１において第２モード警報停止部６８−２を選択した場合の火災監視処理の一例を示したフローチャートであり、プロセッサ２８のプログラムの実行による処理例となる。
【０１２３】
図１２において、火災監視処理は、ステップＳ２１で火災発生を監視しており、センサ部３４から出力された煙検出信号が所定の火災レベルを超えると火災発生を判別してステップＳ２２に進み、連番、送信元符号、グループ符号、火災を示すイベント符号を含むイベント信号を他の住警器に無線送信した後、ステップＳ２３でスピーカ５８からの警報音とＬＥＤ２２の点灯による警報表示とにより連動元を示す火災警報を出力する。
【０１２４】
続いて、ステップＳ２４でセンサ部３４からの煙検出信号が低下して火災状態が解消する火災復旧の有無を判別しており、火災が継続している場合はステップＳ２５で警報停止スイッチ２０による警報停止操作の有無を判別し、警報停止操作が無ければステップＳ２６で他の住警器からの警報停止のイベント信号受信の有無を判別する処理を繰り返している。なお、火災発報の継続中にあっては、所定時間毎に火災発報を示すイベント信号の送信を繰り返している。
【０１２５】
ステップＳ２４〜Ｓ２６の処理サイクル中に、センサ部３４からの煙検出信号が低下し火災状態が解消するとステップＳ２４で火災復旧が判別され、ステップＳ２７で連番、送信元符号、グループ符号、火災復旧を示すイベント符号を含むイベント信号を他の住警器に送信し、ステップＳ３１に進んで連動元を示す警報音を停止して警報表示を継続し、ステップＳ３０に進んで所定時間の経過を判定し、ステップＳ３１で警報表示を停止して通常の監視状態に戻る。
【０１２６】
またステップＳ２５で警報停止スイッチ２０による自己の警報停止操作を判別するとステップＳ２８に進んで連番、送信元符号、グループ符号、警報停止を示すイベント符号を含むイベント信号を他の住警器に送信し、ステップＳ２９に進んで連動元を示すスピーカ５８からの警報音を停止し、ＬＥＤ２２の点灯による警報表示を継続する。
【０１２７】
またステップＳ２６で他の住警器から警報停止イベント信号の受信を判別すると、ステップＳ２９に進んで連動元を示すスピーカ５８からの警報音を停止しＬＥＤ２２の点灯による警報表示をそのまま継続する。
【０１２８】
ステップＳ２９で自己の警報停止操作または他の住警器からの警報停止を示すイベント信号受信で継続している連動元を示す警報表示は、この実施形態にあっては、ステップＳ３０で所定時間の経過を判別した時にステップＳ３１に進んで、継続している連動元を示す警報表示を停止する。
【０１２９】
なお、ステップＳ３０で警報停止操作または警報停止を示すイベント信号受信から所定時間経過を判別している間に、再度警報停止スイッチ２０による警報停止操作を検出した場合には、連動元を示す警報音と警報表示を停止しても良い。
【０１３０】
一方、ステップＳ２１で火災でなかった場合には、ステップＳ３２で他の住警器からのイベント信号受信の有無を判別している。他の住警器から火災のイベント信号受信を判別すると、ステップＳ３３に進んで連動先を示す火災警報としてスピーカ５８からの警報音出力とＬＥＤ２２の点滅による警報表示を行う。
【０１３１】
次にステップＳ３４で他の住警器からの異常復旧を示すイベント信号受信の有無を判別しており、異常（火災）復旧を示すイベント信号を受信すると、ステップＳ３５に進んで連動先の警報として行っているスピーカ５８からの警報音とＬＥＤ２２の点滅による警報表示を停止する。
【０１３２】
ステップＳ１４で異常（火災）復旧を示すイベント信号受信がない場合には、ステップＳ３６で他の住警器からの警報停止を示すイベント信号受信の有無をチェックしており、警報停止を示すイベント信号の受信を判別すると、ステップＳ３８に進んで連動先としてのスピーカ５８からの警報音を停止し、ＬＥＤ２２の点滅による警報表示については停止する。
【０１３３】
ステップＳ３６で警報停止を示すイベント信号受信がない場合には、ステップＳ３７で警報停止スイッチ２０による警報停止操作の有無を判別しており、警報停止操作を判別すると、ステップＳ３８で連番、送信元符号、グループ符号、警報停止を示すイベント符号を含むイベント信号を他の住警器に送信した後、ステップＳ３９に進んで連動先を示すスピーカ５８からの警報音を停止し、ＬＥＤ２２の点滅による警報表示を停止する。
【０１３４】
図１３は図９の住警器１０−１における第３モード警報停止部６８−３を選択した場合の火災監視処理の一例を示したフローチャートであり、プロセッサ２８のプログラムの実行による処理となる。
【０１３５】
図１３において、火災監視処理は、ステップＳ４１で火災発生を監視しており、センサ部３４から出力された煙検出信号が所定の火災レベルを超えると火災発生を判別してステップＳ４２に進み、連番、送信元符号、グループ符号、火災を示すイベント符号を含むイベント信号を他の住警器に無線送信した後、ステップＳ４３でスピーカ５８からの警報音とＬＥＤ２２の点灯による警報表示とにより連動元を示す火災警報を出力する。
【０１３６】
続いて、ステップＳ４４でセンサ部３４からの煙検出信号が低下して火災状態が解消する火災復旧の有無を判別しており、火災が継続している場合はステップＳ４５で警報停止スイッチ２０による警報停止操作の有無を判別し、警報停止操作が無ければステップＳ４６で他の住警器からの警報停止のイベント信号の受信の有無を判別する処理を繰り返している。なお、火災の継続中にあっては、所定時間毎に火災を示すイベント信号の送信を繰り返している。
【０１３７】
ステップＳ４４〜Ｓ４６の処理サイクル中に、センサ部３４からの煙検出信号が低下し火災状態が解消するとステップＳ４４で火災復旧が判別され、ステップＳ４７で連番、送信元符号、グループ符号、火災復旧を示すイベント符号を含むイベント信号を他の住警器に送信し、ステップＳ４９に進んで連動元を示す警報音を停止し、警報表示は継続させる。なお、ステップＳ４９で連動元の警報音を停止して警報表示を継続させる代わりに、連動元の警報音と警報表示を停止して通常の監視状態に戻るようにしても良い。
【０１３８】
またステップＳ４５で警報停止スイッチ２０による自己の警報停止操作を判別するとステップＳ４８に進んで連番、送信元符号、グループ符号、警報停止を示すイベント符号を含むイベント信号を他の住警器に送信し、ステップＳ４９に進んで連動元を示すスピーカ５８からの警報音を停止し、ＬＥＤ２２の点灯による警報表示を継続する。
【０１３９】
またステップＳ４６で他の住警器から警報停止イベント信号の受信を判別すると、ステップＳ４９に進んで連動元を示すスピーカ５８からの警報音を停止し、ＬＥＤ２２の点灯による警報表示を継続する。
【０１４０】
ステップＳ４９で自己の警報停止操作または他の住警器からの警報停止を示すイベント信号受信で継続している連動元を示す警報表示は、この実施形態にあっては、ステップＳ５０で所定時間の経過を判別した時にステップＳ５１に進んで停止する。
【０１４１】
なお、ステップＳ５０のタイマ設定による所定時間経過の代わりに、警報停止スイッチ２０による警報停止操作を再度検出した場合に、連動元を示す警報表示を停止しても良い。
【０１４２】
一方、ステップＳ４１で火災でなかった場合には、ステップＳ５２で他の住警器からのイベント信号受信の有無を判別している。他の住警器からの火災を示すイベント信号受信を判別すると、ステップＳ５３に進んで連動先を示す火災警報としてスピーカ５８からの警報音とＬＥＤ２２の点滅による警報表示を行う。
【０１４３】
次にステップＳ５４で他の住警器からの異常（火災）復旧を示すイベント信号受信の有無を判別しており、異常（火災）復旧を示すイベント信号を受信すると、ステップＳ５５に進んで連動先を示すスピーカ５８からの警報音とＬＥＤ２２の点滅による警報表示を停止する。
【０１４４】
ステップＳ５４で異常（火災）復旧を示すイベント信号受信がない場合には、ステップＳ５６で他の住警器からの警報停止を示すイベント信号受信の有無をチェックしており、警報停止を示すイベント信号の受信を判別すると、ステップＳ５８に進んで連動先を示すスピーカ５８からの警報音とＬＥＤ２２の点滅による警報表示を停止する。
【０１４５】
ステップＳ５６で警報停止を示すイベント信号受信がない場合には、ステップＳ５７で警報停止スイッチ２０による警報停止操作の有無を判別しており、警報停止操作を判別すると、ステップＳ５８で連番、送信元符号、グループ符号、警報停止を示すイベント符号を含むイベント信号を他の住警器に送信した後、ステップＳ５９に進んで連動先を示すスピーカ５８からの警報音とＬＥＤ２２の点滅による警報表示を停止する。
【０１４６】
図１４は連動元の表示色と連動先の表示色を異ならせた本発明による無線式の住警器の他の実施形態を示した説明図である。
【０１４７】
図１４において、住警器１０はカバー１２とその背後の本体で構成され、カバー１２の中央には、周囲に煙流入口を開口し、その内部には検煙部１６が配置され、検煙部１６の左下側には音響穴１８が設けられ、検煙部１６の下側には警報停止スイッチ２０が設けられている。
【０１４８】
警報停止スイッチ２０は、半透明部材で形成されたスイッチカバーの内部にタクトスイッチ（図示せず）を配置しており、スイッチカバー内部のタクトスイッチ近傍には、点線で示すように、連動元の警報表示を行う赤色ＬＥＤ２２ａと、連動先の警報表示を行う黄色ＬＥＤ２２ｂが配置されており、赤色ＬＥＤ２２ａまたは黄色ＬＥＤ２２ｂが点灯すると、警報停止スイッチ２０のスイッチカバーの部分を透過して点灯状態が外部から分かるようにしている。それ以外の構成は図１の実施形態と同じである。
【０１４９】
また図１４の住警器の回路構成も基本的に図９のブロック図と同じであり、報知部３６に図１４に示したように連動元の警報表示を行う赤色ＬＥＤ２２ａと黄色ＬＥＤ２２ｂを設けた点で相違している。本実施形態では、赤色ＬＥＤ２２ａと黄色ＬＥＤ２２ｂを別々に設けた場合を示しているが、赤色ＬＥＤと黄色ＬＥＤを一体に備えた２色ＬＥＤを使用しても良い。
【０１５０】
図１５は図１４の実施形態における第１モード警報停止処理を示している。図１５（Ａ）は連動関係にある住警器１０−１〜１０−５の中の住警器１０−１が火災を検出し、住警器１０−１が警報音と赤色ＬＥＤ２２ａの点灯による警報表示により連動元を示す火災警報を行い、残りの住警器１０−２〜１０−５が警報音と黄色ＬＥＤ２２ｂの点灯による警報表示により連動先を示す火災警報を行っている。
【０１５１】
なお赤色ＬＥＤ２２ａによる警報表示により連動元を示す火災警報と、黄色ＬＥＤ２２ｂによる警報表示により連動先を示す火災警報は、点灯以外に点滅又は明滅としても良い。
【０１５２】
この連動警報の状態で、連動元の住警器１０−１に設けている警報停止スイッチ２０を操作すると、図１５（Ｂ）に示すように、連動先の住警器１０−２〜１０−５で行っている連動先を示す警報音と黄色ＬＥＤ２２ｂの点灯による警報表示は一斉に停止し、これに対し停止操作を行った連動元の住警器１０−１にあっては、連動元を示す警報音は停止するが、連動元を示す赤色ＬＥＤ２２ａの点灯よる警報表示は少なくとも所定期間継続するようにしている。
【０１５３】
これによって連動警報が行われた場合、連動先の住警器１０−２〜１０−５の設置場所に出向いて警報停止操作を行わなくとも、連動元の住警器１０−１の警報停止操作で一斉に連動先の警報を停止することができ、停止操作が簡単且つ容易にできる。
【０１５４】
また、連動元の住警器１０−１における警報停止操作で警報音が全て停止しても、連動元の警報器１０−１における赤色ＬＥＤ２２ａのたとえば点灯による警報表示は少なくとも所定期間継続され、消火後の火元の特定や、誤報または非火災報を発した住警器の特定が簡単且つ確実にできる。
【０１５５】
警報停止後に継続している連動元の住警器１０−１の赤色ＬＥＤ２２ａによる警報表示は、タイマ設定で決まる所定時間経過後に停止させるか、または、再度、連動元の住警器１０−１で警報停止操作を行った時に停止する。
【０１５６】
更に、図１５（Ａ）の連動警報の状態で、連動先を示す警報を行っている住警器１０−２〜１０−５のいずれかで警報停止操作を行った場合には、警報停止操作を行った連動先の住警器のみが少なくとも警報音を停止する。
【０１５７】
図５は図１４の実施形態における第２モード警報停止処理を示している。図１６（Ａ）は連動関係にある住警器１０−１〜１０−５の中の住警器１０−１が火災を検出し、住警器１０−１が警報音と赤色ＬＥＤ２２ａをたとえば点灯する警報表示により連動元を示す火災警報を行い、残りの住警器１０−２〜１０−５が警報音と黄色ＬＥＤ２２ｂをたとえば点灯する警報表示により連動先を示す火災警報を行っている。
【０１５８】
この連動警報の状態で、連動元の住警器１０−１及び連動先の警報器１０−２〜１０−５のいずれかの警報停止スイッチ２０を操作すると、図１５（Ｂ）に示すように、連動元の住警器１０−１で行っている警報音と赤色ＬＥＤ２２ａの点灯による警報表示は少なくとも所定期間継続するが、連動先の住警器１０−２〜１０−５で行っている連動先を示す警報音と黄色ＬＥＤ２２ｂの点灯による警報表示は全て停止するようにしている。
【０１５９】
これによって連動警報が行われた場合、住警器１０−１〜１０−５の設置場所に出向いて警報停止操作を行わなくとも、住警器１０−１〜１０−５の内の任意の住警器の警報停止操作で連動元の警報音と赤色ＬＥＤ２２ａの警報表示は停止せず、連動先の警報音と黄色ＬＥＤ２２ｂの警報表示を全て停止することができ、停止操作が簡単且つ容易にできる。
【０１６０】
また、任意の住警器警報停止操作を行っても、連動元の警報器１０−１における警報音と赤色ＬＥＤ２２ａのたとえば点灯による警報表示は継続され、連動元から離れた場所に設置されている連動先警報器でも、依然として連動元が警報中である旨を知ることが出来、引き続き適切な対処が可能になると共に安全を確保することが出来る。そして、消火後の火元の特定や、誤報または非火災報を発した住警器の特定が簡単且つ確実にできる。
【０１６１】
警報停止後に継続している連動元の住警器１０−１の赤色ＬＥＤ２２ａによる警報表示は、火災復旧、タイマ設定で決まる所定時間経過、又は警報停止操作を行った時に停止する。
【０１６２】
図１７は第２モード警報停止処理における警報停止操作後の連動警報の他の実施形態を示した説明図であり、この実施形態は、図１６（Ａ）のように、住警器１０−１で火災を検出して連動元を示す警報音と警報表示を行い、住警器１０−２〜１０−５で連動先を示す警報音と警報表示を行っている状態で、任意の住警器で警報停止操作を行った場合、連動元の住警器１０−１については警報音と赤色ＬＥＤ２２ａの点灯による警報表示をそのまま継続するが、連動先の住警器１０−２〜１０−５については、連動先を示す警報音は一斉に全て停止し、連動先を示す黄色ＬＥＤ２２ｂの点灯による警報表示は、少なくとも所定期間継続させるようにしている。
【０１６３】
このように警報停止操作を行っても、連動先の住警器１０−２〜１０−５につき警報音は停止するが、黄色ＬＥＤ２２の点灯による連動先を示す警報表示を少なくとも所定期間継続されることで、たとえば図２のガレージ２６に設置した住警器１０−５のように、連動元の住警器１０−２の警報音を聞くことが出来ない場所に設置されている住警器において、連動先を示す警報音は停止しても、黄色ＬＥＤ２２ｂによる警報表示が継続されていることで、連動元の住警器１０−１の警報音は聞こえなくとも、警報中であることが確認できる。
【０１６４】
この場合、連動元の警報音が継続している間は、連動先の赤色ＬＥＤ２２ａの点灯による表示は停止しないようにすることが出来る。
【０１６５】
この警報停止操作時に残す連動先の警報表示としては、黄色ＬＥＤ２２ｂの点灯以外に、点滅または明滅としてもよい。
【０１６６】
図１８は図１４の実施形態における第３モード警報停止処理を示している。図１８（Ａ）は連動関係にある住警器１０−１〜１０−５の中の住警器１０−１が火災を検出し、住警器１０−１が警報音と赤色ＬＥＤ２２ａをたとえば点灯する警報表示により連動元を示す火災警報を行い、残りの住警器１０−２〜１０−５が警報音と黄色ＬＥＤ２２ｂをたとえば点滅する警報表示により連動先を示す火災警報を行っている。
【０１６７】
この連動警報の状態で、連動元の住警器１０−１及び連動先の警報器１０−２〜１０−５のいずれかの警報停止スイッチ２０を操作すると、図１８（Ｂ）に示すように、連動元の住警器１０−１で行っている警報音は停止するが、赤色ＬＥＤ２２の点灯による警報表示は継続し、一方、連動先の住警器１０−２〜１０−５で行っている連動先を示す警報音と黄色ＬＥＤ２２ｂの点灯による警報表示は全て停止するようにしている。
【０１６８】
これによって連動警報が行われた場合、住警器１０−１〜１０−５それぞれの設置場所に出向いて警報停止操作を行わなくとも、住警器１０−１〜１０−５の内の任意の住警器の警報停止操作で連動元と連動先の警報音を一斉に停止し、連動元の赤色ＬＥＤ２２ａの点灯による警報表示はそのままで、連動先の黄色ＬＥＤ２２ｂによる警報表示を全て停止することができ、停止操作が簡単且つ容易にできる。
【０１６９】
また、任意の住警器警報停止操作を行っても、連動元の警報器１０−１における赤色ＬＥＤ２２ａのたとえば点灯による警報表示は継続され、消火後の火元の特定や、誤報または非火災報を発した住警器の特定が簡単且つ確実にできる。
【０１７０】
警報停止後に継続している連動元の住警器１０−１の赤色ＬＥＤ２２ａによる警報表示は、タイマ設定で決まる所定時間経過、又は警報停止操作を検出した時に停止する。
【０１７１】
図１４の実施形態おける第１モード、第２モード、第３モードは、連動元として警報中の警報停止処理は、少なくとも赤色ＬＥＤ２２ａによる表示を継続させる点で基本的に同じであるが、連動先として警報中の警報停止処理が異なる。
【０１７２】
即ち第１モードでは、連動先としての警報中に自己の警報停止操作があったら警報音を停止して赤色ＬＥＤ２２ａの点灯による表示は継続または所定期間継続または復旧を示すイベント信号を受信するまで継続する。そして、他の警報器に対して警報停止を示すイベント信号を送信しない。
【０１７３】
これに対して第２モードでは、連動先としての警報中に自己の警報停止操作があったら警報音を停止して赤色ＬＥＤ２２ａの点灯による表示は継続または所定期間継続または復旧を示すイベント信号を受信するまで継続する。そして、他の警報器に対して警報停止を示すイベント信号を送信する。
【０１７４】
そして第３モードでは、連動先としての警報中に自己の警報停止操作があったら警報音と黄色ＬＥＤ２２ａの点灯による警報表示を停止して、他の警報器に対して警報停止を示すイベント信号を送信する。
【０１７５】
なお上記の実施形態は火災を検出して警報する住警器を例にとるものであったが、ガス漏れ警報器、ＣＯ警報器、各種の防犯用警報器を配置した警報システムについても同様に適用できる。
【０１７６】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０１７７】
また上記の実施形態で述べた「受信がある」、「受信が無い」、「受信した場合」、「受信を判別」等は、受信した信号が有効なものとして認識されたか否かの判定も含んでいる。
【０１７８】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０１７９】
また、上記の実施形態では、電池電源によって動作する住警器を例に取ったが、電池電源以外の電源で動作するものにも本発明を適用できる。
【０１８０】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０１８１】
また上記の実施形態では、連動元を赤色表示とし、連動先を黄色表示としているが、任意の異なる表示色により連動元と連動先を表示しても良い。またＬＥＤ２２ａ、２２ｂは多色ＬＥＤで共用としても良い。
【０１８２】
また図１のように単一のＬＥＤ２２を設けた場合、同じ色の表示であるが、色の明るさを変えて連動元と連動先を表示するようにしても良い。
【０１８３】
また、上記の実施形態は住宅用に限らずビルやオフィス用など各種用途の警報器にも適用できる。
【０１８４】
また、上記の実施形態は警報器にセンサ部と警報出力処理部を一体に設けた場合を例にとるが、他の実施形態として、センサ部と警報出力処理部を別体とした警報器であっても良い。
【０１８５】
また本発明は上記の実施形態に限定されず、その目的と利点を損なうことのない適宜の変形を含み、更に上記の実施形態に示した数値による限定は受けない。
【符号の説明】
【０１８６】
１０，１０−１〜１０−５：住警器
１２：カバー
１４：本体
１５：取付フック
１６：検煙部
１８：音響孔
２０：警報停止スイッチ
２１：モード選択スイッチ
２２：ＬＥＤ
２２ａ：赤色ＬＥＤ
２２ｂ：黄色ＬＥＤ
２４：住宅
２６：ガレージ
２８：ＣＰＵ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５８：スピーカ
６０：イベント検出部
６２：送信処理部
６４：受信処理部
６６：警報処理部
６８−１：第１モード警報停止部
６８−２：第２モード警報停止部
６８−３：第３モード警報停止部
【図１】
2011028707.tif 000003
【図２】
2011028707.tif 000004
【図３】
2011028707.tif 000005
【図４】
2011028707.tif 000006
【図５】
2011028707.tif 000007
【図６】
2011028707.tif 000008
【図７】
2011028707.tif 000009
【図８】
2011028707.tif 000010
【図９】
2011028707.tif 000011
【図１０】
2011028707.tif 000012
【図１１】
2011028707.tif 000013
【図１２】
2011028707.tif 000014
【図１３】
2011028707.tif 000015
【図１４】
2011028707.tif 000016
【図１５】
2011028707.tif 000017
【図１６】
2011028707.tif 000018
【図１７】
2011028707.tif 000019
【図１８】
2011028707.tif 000020